(57)【要約】      （修正有）【課題】飲食物を摂取する作業をより快適に及び好適に利用できるようにする、飲食物容器の蓋及び飲食物容器の敷き具を提供する。【構成】シリコン樹脂からなる蓋Ｆは飲食物容器開口部を着脱可能に開閉するように平面部Ｆ１を備え、円形平面部Ｆ１の外縁部Ｆ２には飲食物容器開口部を把持するように形成した把持部Ｆ３を設け、蓋外縁部Ｆ２の任意の一点から対向する外縁部の点まで溝状を形成させると、第一溝状Ｔａ１、第二溝状Ｔａ２、第三溝状Ｔａ３、第四溝状Ｔａ４になり、円形平面部Ｆ１で、蓋外縁部Ｆ２の近傍で、かつ蓋外縁部Ｆ２に沿って周状に溝状を形成させると第一周状溝Ｔｂ１になり、蓋Ｆは敷き具Ｃとして機能する。【選択図】図１
0003176600.tif 000002
【実用新案登録請求の範囲】
【請求項１】
飲料や食物を摂取するための飲食物容器の開口部を着脱可能に開閉する蓋であり、前記蓋の外縁部には前記容器開口部から前記蓋が脱落しないように形成した把持部を設け、前記蓋の前記容器開口部に載置する側の面には面積を分割するように形成した溝状を設け、前記蓋の前記容器開口部載置面の裏面には任意形状のエンボスを設け、前記蓋を飲食物容器の外底部の敷き具として兼用することを特徴とする飲食物容器の蓋。
【請求項２】
飲料や食物を摂取するための飲食物容器の外底部を載置する敷き具であり、前記敷き具を載置場所に載置する面には任意形状のエンボスを設け、前記敷き具の前記容器外底部を載置する面には面積を分割するように形成した溝状を設け、前記敷き具の外縁部には前記容器外底部が前記容器外底部載置面から脱落しないように形成した把持部を設け、前記敷き具を飲食物容器の開口部を着脱可能に開閉する蓋として兼用することを特徴とする飲食物容器の敷き具。
【請求項３】
前記蓋に設けた前記容器開口部把持部の形状が外周に沿って凹凸状であることを特徴とする請求項１に記載の飲食物容器の蓋。
【請求項４】
前記敷き具に設けた前記容器外底部把持部の形状が外周に沿って凹凸状であることを特徴とする請求項２に記載の飲食物容器の敷き具。
【考案の詳細な説明】
【技術分野】
【０００１】  本考案は、飲料や食物を摂取するための飲食物容器の開口部を着脱可能に開閉する蓋と、飲料や食物を摂取するための飲食物容器の外底部を載置する敷き具に関するものである。
【背景技術】
【０００２】  従来から、飲料や食物を摂取するための飲食物容器を快適に又は／及び好適に利用するために、着脱可能な蓋や敷き具（例えばコースター、以下コースター）などが利用されている。例えば蓋は、飲食物容器の中に虫やホコリなどの異物が入らないようにするためとか、飲料や食物等の内容物の温度低下を軽減させるためとか、飲料や食物等の内容物が飲食物容器から外部にこぼれにくくするために用いられていて、再使用するタイプと使い捨てされるタイプがあることが知られている。例えばコースターは、飲食物容器を載置する載置台や載置場に載置する場合の安定性を向上させるために設けられたり、飲料や食物等の内容物の温度が飲食物容器の外部の温度より低い場合に飲食物容器の表面に生ずる結露等の水分（以下、単に「結露」という。）や、飲食物容器の飲料や食物等の内容物が外部にこぼれた場合には、載置台や載置場に付着しないようにするために用いられていて、再使用するタイプと使い捨てされるタイプがあることが知られている。【０００３】  また、上述した飲食物容器の蓋は、業務用では使い捨てタイプが一般的に用いられていることが知られているが、家庭用では再使用タイプも使い捨てタイプもまだ一般的には用いられてない、という報告が成されている。また、上述した飲食物容器のコースターは、業務用では使い捨てタイプも再使用タイプも一般的に用いられていることが知られているが、家庭用では再使用タイプも使い捨てタイプもまだ一般的には用いられてない、という報告が成されている。また、再使用タイプのコースターの中で吸水性ではない素材で形成されたタイプの中には業務用でも家庭用でも飲食物容器の外底部とコースターが密着し同時に持ち上がる場合がある、という問題も指摘されている。そこで、近年になると、飲食物容器の蓋やコースターで、再使用タイプで、業務用で使用しても家庭用で使用しても使い勝手のよい蓋やコースターの開発案件が増えてきた。【０００４】  例えば、コップ蓋と該コップ蓋の下部内側にその突部により保持された中央部に指挿入孔を、周縁にリム状部を、指挿入孔縁にボス状部を、それぞれ有するコースターとの組合せであることを特徴とするコップ蓋とコースターとの組合せが知られている。（特許文献１を参照する）
また例えば、コースターにおいて、その形体をシリコンラバー、ビニール、柔軟プラスチックなど摩擦抵抗の大きい材質で成形することを特徴とするコースタが知られている。（特許文献２を参照する）
また例えば、畳、キルク、布の素材にシリコン樹脂をコーテング、もしくは含浸させたコースター及び鍋等の敷物が知られている。（特許文献３を参照する）
また例えば、コップ等を飲用に使用する時に外底部に溜まった水が落下し衣服を汚染したりコップ等とコースターが同時に持ち上がるのを防止することを目的とし、その構成が上部材に水と空気の流通口を適当に貫設し下部材を凹型に成形し上部材との空間を貯水槽と成し吸水材を設置し、上部材、下部材の周縁を湾曲状にするコップ等敷き具が知られている。（特許文献４を参照する）
【先行技術文献】
【特許文献】
【０００５】
【特許文献１】実開昭６１−２３８７４号公開実用新案公報
【特許文献２】実開昭６３−１６３６８２号公開実用新案公報
【特許文献３】実開平８−７７９号公開実用新案公報
【特許文献４】実開平５−８６２６９号公開実用新案公報
【考案の開示】
【考案が解決しようとする課題】
【０００６】  ところが、特許文献１のコップ蓋とコースターとの組合せでは、コップ蓋の中にコースターを着脱可能に収納するための構造が複雑になり、また蓋とコースターを別々に製造する必要があり、これら二つの障害によってこの開発案件を商品化するのは難しいという指摘を受けている。
また例えば、特許文献２のコースタでは、シリコンラバーで成形することによって、耐熱性や洗浄・洗濯性に強く耐薬品性や耐候性に優れ、又滑り止め効果や弾力性に優れているが、飲食物容器の結露が少量程度ならよいが、例えば飲食物容器の結露が比較的多量になった場合や、飲食物容器から飲食物がこぼれたりした場合では対応できないのではないかという指摘を受けている。
また例えば、特許文献４のコップ等敷き具では、コップ等を飲用に使用する時に外底部に溜まった水が落下し衣服を汚染したりコップ等とコースターが同時に持ち上がるのを防止することを目的とするが、この貯水槽と吸水材では、コップ等の結露が少量程度ならよいが、例えばコップ等の結露が比較的多量になった場合や、コップ等から飲食物がこぼれたりした場合では対応できないのではないかという指摘を受けている。【０００７】  本考案は、上記の課題を解決するために成されたものであり、飲料や食物を摂取するための飲食物容器の開口部を着脱可能に開閉する蓋においては、繰り返し使用するタイプの飲食物容器の蓋であり、飲食物を摂取する作業をより快適に及び好適に利用できるようにする蓋の提供を目的とする。また、飲料や食物を摂取するための飲食物容器の外底部を載置する敷き具においては、繰り返し使用するタイプの飲食物容器の敷き具であり、飲食物を摂取する作業をより快適に及び好適に利用できるようにする敷き具の提供を目的とする。
【課題を解決するための手段】
【０００８】  課題を解決するための第一の手段（請求項１）は、飲料や食物を摂取するための飲食物容器の開口部を着脱可能に開閉する蓋であり、前記蓋の外縁部には前記容器開口部から前記蓋が脱落しないように形成した把持部を設け、前記蓋の前記容器開口部に載置する側の面には面積を分割するように形成した溝状を設け、前記蓋の前記容器開口部載置面の裏面には任意形状のエンボスを設け、前記蓋を飲食物容器の外底部の敷き具として兼用することを特徴とする飲食物容器の蓋を提供することである。【０００９】  課題を解決するための第一の手段で示した飲料に関しては、人が飲用にする飲み物の総称であり、一般的には、清涼飲料水、清涼飲料、ソフトドリンク、アルコール飲料、などを示している。また、清涼飲料、ソフトドリンク、などは、爽快感を有し、アルコールを含まない飲料、炭酸があるものとないものに大別される。また前記飲料に関しては、人間が摂取することができる液体であれば何を用いても構わないものとする。
課題を解決するための第一の手段で示した食物に関しては、人間が食べる物で、通常２種以上の栄養素を含み無毒のものとされる物品であれば、何を用いても構わない。また、人が食用にする物品の総称であり、調理の材料としたり、そのまま食べたりすることができる食用の物品であれば、何を用いても構わない。また前記物品に関しては、粉体、粒体、固体、半固体、液体、粘液体、ゲル状体、などが存在し一般的には単体で用いたり任意で組合わせて用いたりする。
課題を解決するための第一の手段で示した飲食物容器に関しては、開口部、収納部、外底部、より構成され、前記飲料、前記食物、を対象とする容器であれば何を用いても構わない。前記飲食物容器は、一般的には、カップ、グラス、コップ、ジョッキ、食器、などの名称で利用されている。【００１０】  課題を解決するための第一の手段で示した飲食物容器の開口部を着脱可能に開閉する蓋に関しては、飲食物容器の開口部を着脱可能に開閉するように形成されていれば、その形状や寸法は特に制限は設けないものとする。ただし、飲食物容器の開口部の形状や寸法に合わせて、例えば飲食物容器の開口部の形状の相似形で飲食物容器の蓋の形状や寸法を形成することが好ましいが、例えば飲食物容器の開口部の形状の相似形ではない場合の飲食物容器の蓋の形状や寸法が形成されることも想定内とする。すなわち飲食物容器の蓋の平面が、円形であっても、多角形であっても、方形であっても、よいものとする。また前記蓋の成型手段に関しても特に制限は設けないものであり、一般的に用いられている成型手段であれば何を用いても構わない。
課題を解決するための第一の手段で示した前記蓋の外縁部には前記容器開口部から前記蓋が脱落しないように形成した把持部を設けることに関しては、前記蓋を飲食物容器の開口部に載置した状態で、この飲食物容器を角度が１度から４５度程度の範囲で傾斜させた場合でも、前記蓋が飲食物容器の開口部から脱落しないように前記蓋外縁部に飲食物容器の開口部の少なくとも一部を把持するような形状物が形成されていればその形状に特に制限は設けないものとする。【００１１】  課題を解決するための第一の手段で示した前記蓋の前記容器開口部に載置する側の面には面積を分割するように形成した溝状を設けることに関しては、例えば前記蓋外縁部の任意の一点からこの点に対向する外縁部の点まで任意形状の溝状を形成させると前記容器開口部載置面は２分割され、続けて前記蓋外縁部の任意の一点からこの点に対向する外縁部の点まで任意形状の溝状を形成させると前記容器開口部載置面は４分割され、続けて前記蓋外縁部の任意の一点からこの点に対向する外縁部の点まで任意形状の溝状を形成させると前記容器開口部載置面は６分割され、この作業を続けていくことで、前記容器開口部載置面は、８分割、１０分割、１２分割、１４分割、１６分割され、これ以降任意の回数まで分割できることになる。また例えば、前記蓋外縁部と前記容器開口部載置面の間で、かつ前記蓋外縁部の近傍で、かつ前記蓋外縁部に沿って周状に溝状を形成させると前記容器開口部載置面には第一周状溝と第一容器開口部載置面を形成することができ、また第一容器開口部載置面の外縁寸法よりも小さい寸法で第一容器開口部載置面の外縁部の近傍で、前記第一容器開口部載置面外縁部に沿って周状に溝状を形成させると第一容器開口部載置面には第二周状溝と第二容器開口部載置面を形成することができ、また第二容器開口部載置面の外縁寸法よりも小さい寸法で前記第二容器開口部載置面外縁部の近傍で、前記第二容器開口部載置面外縁部に沿って周状に溝状を形成させると第二容器開口部載置面には第三周状溝と第三容器開口部載置面を形成することができ、この作業を続けていくとで、第一容器開口部載置面は、４分割、５分割、６分割、７分割、８分割され、これ以降任意の回数まで分割できることになる。また、前記容器開口部載置面を分割する手段に関しては上述した分割手段をそれぞれ単独で用いてもよいし任意で組合わせて用いてもよい。【００１２】  課題を解決するための第一の手段で示した前記蓋の前記容器開口部載置面の裏面には任意形状のエンボスを設けることに関しては、前記蓋の前記容器開口部載置面の裏面に任意形状の凹状の模様が形成されていることで飲食物容器の外底部の載置面の近傍の面や場所に前記容器開口部載置面裏面を載置した場合に前記凹状模様が吸盤作用によって滑りにくさが生じることを利用するものであり、この現象が実現できる加工手段に関しては一般的に知られている手段であれば何を用いても構わない。
課題を解決するための第一の手段で示した前記蓋を飲食物容器の外底部の敷き具として兼用することに関しては、飲料や食物を摂取するための飲食物容器の開口部を着脱可能に開閉する蓋でありながら、前記蓋の外縁部には前記容器開口部から前記蓋が脱落しないように形成した把持部が、例えば前記蓋に飲食物容器の外底部を載置した場合でも前記飲食物容器外底部が脱落しないようになっていることを本考案者たちは見出し本考案に至った次第である。また飲料や食物を摂取するための飲食物容器の開口部を着脱可能に開閉する蓋でありながら、前記容器開口部載置面を少なくとも二つ以上分割するように形成した溝状を設けることで、前記蓋の素材に耐水性を備えた軟質系素材を用いても、例えば前記蓋に飲食物容器の外底部を載置した場合でも前記飲食物容器外底部が密着しないようになっていることを本考案者たちは見出し本考案に至った次第である。また飲料や食物を摂取するための飲食物容器の開口部を着脱可能に開閉する蓋でありながら、前記蓋の前記容器開口部載置面の裏面には任意形状のエンボスを設けることで、例えば飲食物容器の外底部の載置面の近傍の面や場所に前記容器開口部載置面裏面を載置した場合に前記エンボスの吸盤作用によって、例えば前記蓋に飲食物容器の外底部を載置した場合でも前記容器開口部載置面裏面が滑りにくくなっていることを本考案者たちは見出し本考案に至った次第である。
また、前記蓋の前記軟質系素材に関しては、前記蓋を飲食物容器の外底部の敷き具として兼用することによって、雑菌対策のためにすなわち殺菌処理のために前記蓋を高温殺菌処理の必要があり、したがって前記軟質系素材は、軟質系の耐熱性プラスチックであることが好ましく、具体的には耐熱温度が１００℃以上であることが好ましく、一般的な耐熱性プラスチックであれば軟質系であれば何を用いても構わないが、例えば、下記の耐熱性プラスチックが使用可能である。なお、カッコ内は耐熱温度である。ポリエチレン（９０〜１１０℃）、ポリ塩化ビニリデン（１３０〜１５０℃）、ポリアミド（８０〜１４０℃）、ポリアセタール（８０〜１２０℃）、シリコン樹脂（２００〜２５０℃）、などが知られている。また、前記シリコン樹脂の類似素材としては、シリコンラバー、シリコンゴム、シリコーン樹脂、シリコーンラバー、シリコーンゴム、などが知られている。【００１３】  課題を解決するための第二の手段（請求項２）は、飲料や食物を摂取するための飲食物容器の外底部を載置する敷き具であり、前記敷き具を載置場所に載置する面には任意形状のエンボスを設け、前記敷き具の前記容器外底部を載置する面には面積を分割するように形成した溝状を設け、前記敷き具の外縁部には前記容器外底部が前記容器外底部載置面から脱落しないように形成した把持部を設け、前記敷き具を飲食物容器の開口部を着脱可能に開閉する蓋として兼用することを特徴とする飲食物容器の敷き具を提供することである。【００１４】  課題を解決するための第二の手段で示した飲料に関しては、人が飲用にする飲み物の総称であり、一般的には、清涼飲料水、清涼飲料、ソフトドリンク、アルコール飲料、などを示している。また、清涼飲料、ソフトドリンク、などは、爽快感を有し、アルコールを含まない飲料、炭酸があるものとないものに大別される。また前記飲料に関しては、人間が摂取することができる液体であれば何を用いても構わないものとする。
課題を解決するための第二の手段で示した食物に関しては、人間が食べる物で、通常２種以上の栄養素を含み無毒のものとされる物品であれば、何を用いても構わない。また、人が食用にする物品の総称であり、調理の材料としたり、そのまま食べたりすることができる食用の物品であれば、何を用いても構わない。また前記物品に関しては、粉体、粒体、固体、半固体、液体、粘液体、ゲル状体、などが存在し一般的には単体で用いたり任意で組合わせて用いたりする。
課題を解決するための第二の手段で示した飲食物容器に関しては、開口部、容器部、外底部、より構成され、前記飲料、前記食物、を対象とする容器であれば何を用いても構わない。前記飲食物容器は、一般的には、カップ、グラス、コップ、ジョッキ、食器、などの名称で利用されている。【００１５】  課題を解決するための第二の手段で示した飲料や食物を摂取するための飲食物容器の外底部を載置する敷き具に関しては、飲食物容器の外底部を載置できるように形成されていれば、その形状や寸法は特に制限は設けないものとする。すなわち前記敷き具の形状が、円形であっても、多角形であっても、方形であっても、よいものとする。また前記敷き具の成型手段に関しても特に制限は設けないものであり、一般的に用いられている成型手段であれば何を用いても構わない。
課題を解決するための第二の手段で示した前記敷き具の外縁部には前記容器外底部が前記容器外底部載置面から脱落しないように形成した把持部を設けることに関しては、前記容器外底部載置面に前記飲食物容器外底部を載置した状態で、前記敷き具を角度が１度から３０度程度の範囲で傾斜させた場合でも、前記飲食物容器外底部が前記容器外底部載置面から脱落しないように前記敷き具の外縁部に前記飲食物容器外底部の少なくとも一部を把持するような形状物が形成されていればその形状に特に制限は設けないものとする。【００１６】  課題を解決するための第二の手段で示した前記敷き具の前記容器外底部を載置する面には面積を分割するように形成した溝状を設けることに関しては、例えば前記敷き具外縁部の任意の一点からこの点に対向する外縁部の点まで任意形状の溝状を形成させると前記容器外底部載置面は２分割され、続けて前記敷き具外縁部の任意の一点からこの点に対向する外縁部の点まで任意形状の溝状を形成させると前記容器外底部載置面は４分割され、続けて前記敷き具外縁部の任意の一点からこの点に対向する外縁部の点まで任意形状の溝状を形成させると前記容器外底部載置面は６分割され、この作業を続けていくことで、前記容器外底部載置面は、８分割、１０分割、１２分割、１４分割、１６分割され、これ以降任意の回数まで分割できることになる。また例えば、前記敷き具外縁部と前記容器外底部載置面の間で、かつ前記敷き具外縁部の近傍で、かつ前記敷き具外縁部に沿って周状に溝状を形成させると前記容器外底部載置面には第一周状溝と第一容器外底部載置面を形成することができ、また第一容器外底部載置面の外縁寸法よりも小さい寸法で第一容器外底部載置面の外縁部の近傍で、前記第一容器外底部載置面外縁部に沿って周状に溝状を形成させると第一容器外底部載置面には第二周状溝と第二容器外底部載置面を形成することができ、また第二容器外底部載置面の外縁寸法よりも小さい寸法で前記第二容器外底部載置面外縁部の近傍で、前記第二容器外底部載置面外縁部に沿って周状に溝状を形成させると第二容器外底部載置面には第三周状溝と第三容器外底部載置面を形成することができ、この作業を続けていくとで、第一容器外底部載置面は、４分割、５分割、６分割、７分割、８分割され、これ以降任意の回数まで分割できることになる。また、前記容器外底部載置面を分割する手段に関しては上述した分割手段をそれぞれ単独で用いてもよいし任意で組合わせて用いてもよい。【００１７】  課題を解決するための第二の手段で示した前記敷き具を載置場所に載置する面には任意形状のエンボスを設けることに関しては、前記敷き具の前記容器外底部載置面の裏面に任意形状の凹状の模様が形成されていることで飲食物容器の外底部の載置面の近傍の面や場所に前記容器外底部載置面裏面を載置した場合に前記凹状模様が吸盤作用によって滑りにくさが生じることを利用するものであり、この現象が実現できる加工手段に関しては一般的に知られている手段であれば何を用いても構わない。
課題を解決するための第二の手段で示した前記敷き具を飲食物容器の開口部を着脱可能に開閉する蓋として兼用することに関しては、飲料や食物を摂取するための飲食物容器の外底部を載置する敷き具でありながら、前記敷き具の外縁部には前記容器外底部が前記容器外底部載置面から脱落しないように形成した把持部が、例えば前記敷き具を飲食物容器の開口部に載置した場合に前記容器開口部を角度が１度から４５度程度の範囲で傾斜させた場合でも、前記敷き具が脱落しないようになっていることを本考案者たちは見出し本考案に至った次第である。また飲料や食物を摂取するための飲食物容器の外底部を載置する敷き具でありながら、前記容器外底部載置面を少なくとも二つ以上分割するように形成した溝状を設けることで、前記敷き具の素材に耐水性を備えた軟質系素材を用いても、例えば前記敷き具を飲食物容器の開口部に載置した場合でも前記容器外底部載置面と前記容器開口部の縁が密着しないことで、前記敷き具を前記蓋の代わりに用いても前記敷き具が前記容器開口部の縁と密着して取りづらいという現象が生じないことを本考案者たちは見出し本考案に至った次第である。
また、前記敷き具の前記軟質系素材に関しては、前記敷き具が雑菌に汚染されやすい性質があるため、雑菌対策のためにすなわち殺菌処理のために前記敷き具を高温殺菌処理の必要があり、したがって前記軟質系素材は、軟質系の耐熱性プラスチックであることが好ましく、具体的には耐熱温度が１００℃以上であることが好ましく、一般的な耐熱性プラスチックであれば軟質系であれば何を用いても構わないが、例えば、下記の耐熱性プラスチックが使用可能である。なお、カッコ内は耐熱温度である。ポリエチレン（９０〜１１０℃）、ポリ塩化ビニリデン（１３０〜１５０℃）、ポリアミド（８０〜１４０℃）、ポリアセタール（８０〜１２０℃）、シリコン樹脂（２００〜２５０℃）、などが知られている。また、前記シリコン樹脂の類似素材としては、シリコンラバー、シリコンゴム、シリコーン樹脂、シリコーンラバー、シリコーンゴム、などが知られている。【００１８】  課題を解決するための第三の手段（請求項３）は、前記蓋に設けた前記容器開口部把持部の形状が外周に沿って凹凸状であることを特徴とする課題を解決するための第一の手段に記載の飲食物容器の蓋を提供することである。【００１９】  課題を解決するための第三の手段で示した前記蓋に設けた前記容器開口部把持部の形状が外周に沿って凹凸状であることに関しては、前記容器開口部把持部の形状が外周に沿って、凹凸凹状、凸凹凸状、凹凹状、凸凸状、波状、ウエーブ状、の中から選択して単独で用いても組合わせて用いてもよいものとする。前記容器開口部把持部の成形手段に関しては、一般的に知られた手段を用いればよく特に制限は設けないものとする。【００２０】  課題を解決するための第四の手段（請求項４）は、前記敷き具に設けた前記容器外底部把持部の形状が外周に沿って凹凸状であることを特徴とする課題を解決するための第二の手段に記載の飲食物容器の敷き具を提供することである。【００２１】  課題を解決するための第四の手段で示した前記敷き具に設けた前記容器外底部把持部の形状が外周に沿って凹凸状であることに関しては、前記容器外底部把持部の形状が外周に沿って、凹凸凹状、凸凹凸状、凹凹状、凸凸状、波状、ウエーブ状、の中から選択して単独で用いても組合わせて用いてもよいものとする。前記容器外底部把持部の成形手段に関しては、一般的に知られた手段を用いればよく特に制限は設けないものとする。
【考案の効果】
【考案の効果】
【００２２】  本考案の飲食物容器の蓋によって、飲料や食物を摂取するための飲食物容器の開口部を着脱可能に開閉する蓋でありながら、飲食物容器の外底部の敷き具として兼用することができる飲食物容器の蓋を提供でき、本考案の利用者は従来であれば飲食物容器を用いた飲食物摂取作業を好適に及び快適に行うために必要な蓋と敷き具の両方がなくても、本考案の飲食物容器の蓋だけで飲食物容器を用いた飲食物摂取作業を好適に及び快適に行うことが可能になる。【００２３】  本考案の飲食物容器の蓋は、飲食物容器の外底部の敷き具として兼用することができるにも拘らず、本考案の飲食物容器の蓋を飲食物容器の外底部の敷き具として利用した場合でも、例えば飲食物容器が結露した場合に生ずる水滴がこぼれたり、例えば飲食物容器の外底部と蓋が密着することで飲食物容器と蓋が同時に持ち上がるのを防止する。【００２４】  本考案の飲食物容器の蓋の外縁部に形成した把持部によって、前記容器開口部に載置した前記蓋を取り外す場合には前記蓋把持部に形成した凹凸状の滑り止め作用によって取り外し作業が容易になり、また、前記蓋を飲食物容器の外底部の敷き具として兼用する場合にも前記凹凸状の滑り止め作用によって前記蓋の飲食物容器の外底部への載置作業が容易になる。また、前記蓋把持部の凹凸状が造形美に優れているので、商品価値が高くなる。【００２５】  本考案の飲食物容器の敷き具によって、飲料や食物を摂取するための飲食物容器の外底部を載置する敷き具でありながら、飲食物容器の開口部を着脱可能に開閉する蓋として兼用することができる飲食物容器の敷き具を提供でき、本考案の利用者は従来であれば飲食物容器を用いた飲食物摂取作業を好適に及び快適に行うために必要な敷き具と蓋の両方がなくても、本考案の飲食物容器の敷き具だけで飲食物摂取作業を好適に及び快適に行うことが可能になる。【００２６】  本考案の飲食物容器の敷き具は、飲食物容器の開口部を着脱可能に開閉する蓋として兼用することができるにも拘らず、飲食物容器の蓋として利用した場合でも、例えば飲食物容器の内容物に異物やゴミや虫類や微生物の混入を防いだり、例えば飲食物容器の内容物の温度の低下を防止することが可能になる。【００２７】  本考案の飲食物容器の敷き具の外縁部に形成した把持部によって、前記容器外底部を載置した前記敷き具を取り外す場合には前記敷き具把持部に形成した凹凸状の滑り止め作用によって取り外し作業が容易になり、また、前記敷き具を飲食物容器の開口部の蓋として兼用する場合にも前記凹凸状の滑り止め作用によって前記敷き具の飲食物容器の開口部への載置作業が容易になる。また、前記敷き具把持部の凹凸状が造形美に優れているので、商品価値が高くなる。【００２８】  本考案の飲食物容器の蓋になったりする飲食物容器の敷き具や、本考案の飲食物容器の敷き具になったりする飲食物容器の蓋、の材質に本明細書で記載したシリコン樹脂を用いることで、シリコン樹脂の耐熱温度が２５０℃であることから、１００℃以上の熱水殺菌や１００℃以上の蒸気殺菌や１００℃以上の熱風殺菌や１００℃以上になるマイクロウエーブ殺菌を相当数繰り返しても十分耐えられ、したがって衛生上好ましい状態を比較的長期間、保���することが可能である。また前記敷き具や前記蓋の材質に本明細書で記載したシリコン樹脂を用いることで、シリコン樹脂は酸、アルカリ等の耐薬品性に優れているので、洗浄や洗濯を相当数繰り返しても劣化することが少なく、したがって衛生上好ましい状態を比較的長期間、保持することが可能である。
【考案を実施するための最良の形態】
【００３０】  以下、本考案である飲食物容器の蓋及び敷き具の実施の形態について、図１〜図４に基づいて説明する。
図１は、本考案の飲食物容器の敷き具として兼用できる飲食物容器の蓋及び飮食物容器の蓋として兼用できる飲食物容器の敷き具の概念正面図である。図２は、本考案の飲食物容器の敷き具として兼用できる飲食物容器の蓋及び飲食物容器の蓋として兼用できる飲食物容器の敷き具の概念背面図である。図３は、図１と図２の飲食物容器の蓋及び敷き具を使用している状態を示している概念図である。図４は、図１と図２の飲食物容器の蓋及び敷き具を使用している状態を示している概念図である。また、図３と図４では、図１と同一部分を同一符号で示している。また、図３と図４では、図２と同一部分を同一符号で示している。
【実施例１】
【００３１】  図１から図４を用いて課題を解決するための第一の手段及び請求項１の概略の実施例を説明する。まず、図３と図４より、Ｇは飲料や食物を摂取するため上部に開口部を備え有底円筒状に形成された飲食物容器であり、飲食物容器Ｇの開口部はＧ１で円形であり、飲食物容器Ｇの収納部はＧ２であり、飲食物容器Ｇの外底部はＧ３で円形である。次に、図１より、Ｆは本明細書で示した飲料や食物を摂取するための飲食物容器Ｇの容器開口部Ｇ１を着脱可能に開閉する蓋であり、蓋Ｆは容器開口部Ｇ１を着脱可能に開閉するように円形の平面部Ｆ１を備えるように形成され、また、蓋Ｆの素材にはシリコン樹脂が選択され、一般的に用いられている成型手段を用いて成型されるものとする。次に、図１から図４より、蓋Ｆの円形平面部Ｆ１の外縁部Ｆ２には容器開口部Ｇ１から円形平面部Ｆ１が脱落しないようにすなわち容器開口部Ｇ１を把持するように形成した把持部Ｆ３を設ける。次に、図１より、円形平面部Ｆ１には、円形平面部Ｆ１の面積を分割するように形成した溝状を形成させるが、蓋外縁部Ｆ２の任意の一点から対向する外縁部の点まで任意形状の溝状を形成させると第一溝状Ｔａ１になり、続けて蓋外縁部Ｆ２の任意の一点から対向する外縁部の点まで任意形状の溝状を形成させると第二溝状Ｔａ２になり、続けて蓋外縁部Ｆ２の任意の一点から対向する外縁部の点まで任意形状の溝状を形成させると第三溝状Ｔａ３になり、続けて蓋外縁部Ｆ２の任意の一点から対向する外縁部の点まで任意形状の溝状を形成させると第四溝状Ｔａ４になる。次に、図１より、円形平面部Ｆ１には、蓋外縁部Ｆ２の近傍で、かつ蓋外縁部Ｆ２に沿って周状に溝状を形成させると第一周状溝Ｔｂ１になる。次に、図２より、蓋Ｆの円形平面部Ｆ１の裏面Ｆ４には任意形状のエンボスＦ５を形成させるようにするが、エンボスＦ５の成形手段は一般的に知られた手段で構わないものとする。
【実施例２】
【００３２】  また、図１から図４を用いて、蓋Ｆが飲食物容器Ｇすなわち容器外底部Ｇ３の敷き具として兼用できるようになることの実施例を説明する。蓋Ｆは、図３に示すとおり本来は容器開口部Ｇ１を着脱可能に開閉するための道具でありながら、本来の機能としては飲食物容器Ｇの角度を概ね１度から概ね４５度程度の範囲で傾斜させても蓋Ｆが容器開口部Ｇ１から脱落しないように形成した蓋把持部Ｆ３によって、例えば蓋Ｆに飲食物容器Ｇすなわち容器外底部Ｇ３を載置した状態から、例えば飲食物容器Ｇの角度を概ね１度から概ね３０度程度の範囲で傾斜させた場合でも、図４に示すとおり容器外底部Ｇ３が脱落しないようになっていることを本考案者たちは見出し本考案に至った。また蓋Ｆは、図３に示すとおり本来は容器開口部Ｇ１を着脱可能に開閉するための道具でありながら、図１に示すとおり円形平面部Ｆ１（図３に示した容器開口部Ｇ１に対しての載置面）に形成した、第一溝状Ｔａ１、第二溝状Ｔａ２、第三溝状Ｔａ３、第四溝状Ｔａ４、第一周状溝Ｔｂ１、等による排水機能によって蓋Ｆの素材がシリコン樹脂であっても、例えば図４に示すとおり蓋Ｆに容器外底部Ｇ３を載置した後に例えば飲食物容器Ｇが結露してこの結露水によって容器外底部Ｇ３が密着しないようになっていることを本考案者たちは見出し本考案に至った。また蓋Ｆは、図３に示すとおり本来は容器開口部Ｇ１を着脱可能に開閉するための道具でありながら、図２に示すとおり円形平面部裏面Ｆ４にエンボスＦ５を設けることで、例えば容器外底部Ｇ３の載置面の近傍の面や場所に円形平面部裏面Ｆ４を載置した場合にエンボスＦ５の吸盤作用によって、円形平面部裏面Ｆ４が滑りにくくなっていることを本考案者たちは見出した。
【実施例３】
【００３３】  図１から図４を用いて課題を解決するための第二の手段及び請求項２の概略の実施例を説明する。まず、図３と図４より、Ｇは飲料や食物を摂取するため上部に開口部を備え有底円筒状に形成された飲食物容器であり、飲食物容器Ｇの開口部はＧ１で円形であり、飲食物容器Ｇの収納部はＧ２であり、飲食物容器Ｇの外底部はＧ３で円形である。次に、図１より、Ｃは本明細書で示した飲料や食物を摂取するための飲食物容器Ｇの容器外底部Ｇ３を載置する敷き具であり、敷き具Ｃは容器外底部Ｇ３を載置できるように円形の平面部Ｃ１を備えるように形成され、また、敷き具Ｃの素材にはシリコン樹脂が選択され、一般的に用いられている成型手段を用いて成型されるものとする。次に、図１から図４より、敷き具Ｃの円形平面部Ｃ１の外縁部Ｃ２には円形平面部Ｃ１から容器外底部Ｇ３が脱落しないようにすなわち容器外底部Ｇ３を把持するように形成した把持部Ｃ３を設ける。次に、図１より、円形平面部Ｃ１には、円形平面部Ｃ１の面積を分割するように形成した溝状を形成させるが、敷き具外縁部Ｃ２の任意の一点から対向する外縁部の点まで任意形状の溝状を形成させると第一溝状Ｔｃ１になり、続けて敷き具外縁部Ｃ２の任意の一点から対向する外縁部の点まで任意形状の溝状を形成させると第二溝状Ｔｃ２になり、続けて敷き具外縁部Ｃ２の任意の一点から対向する外縁部の点まで任意形状の溝状を形成させると第三溝状Ｔｃ３になり、続けて敷き具外縁部Ｃ２の任意の一点から対向する外縁部の点まで任意形状の溝状を形成させると第四溝状Ｔｃ４になる。次に、図１より、円形平面部Ｃ１には、敷き具外縁部Ｃ２の近傍で、かつ敷き具外縁部Ｃ２に沿って周状に溝状を形成させると第一周状溝Ｔｄ１になる。次に、図２より、敷き具Ｃの円形平面部Ｃ１の裏面Ｃ４には任意形状のエンボスＣ５を形成させるようにするが、エンボスＣ５の成形手段は一般的に知られた手段で構わないものとする。
【実施例４】
【００３４】  また、図１から図４を用いて、敷き具Ｃが飲食物容器Ｇすなわち容器開口部Ｇ１の蓋として兼用できるようになることの実施例を説明する。敷き具Ｃは、図４に示すとおり本来は容器外底部Ｇ３を載置するための道具でありながら、本来の機能としては例えば容器外底部Ｇ３を円形平面部Ｃ１に載置しても容器外底部Ｇ３が円形平面部Ｃ１から脱落しないように形成した敷き具把持部Ｃ３によって、例えば敷き具Ｃに容器外底部Ｇ３を載置した状態から、図３に示すとおり敷き具Ｃを容器開口部Ｇ１に載置した場合でも、例えば飲食物容器Ｇの角度を概ね１度から概ね３０度程度の範囲で傾斜させた場合でも、敷き具Ｃが脱落しないようになっていることを本考案者たちは見出し本考案に至った。また敷き具Ｃは、図４に示すとおり本来の機能は容器外底部Ｇ３を載置するための道具でありながら、図１に示すとおり円形平面部Ｃ１（図４に示した容器外底部Ｇ３に対しての載置面）に形成した、第一溝状Ｔｃ１、第二溝状Ｔｃ２、第三溝状Ｔｃ３、第四溝状Ｔｃ４、第一周状溝Ｔｄ１、等による排水機能によって敷き具Ｃの素材がシリコン樹脂であっても、例えば図３に示すとおり容器開口部Ｇ１に敷き具Ｃを載置した場合でも、例えば容器収納部Ｇ２の内容物からの水蒸気によって容器開口部Ｇ１に密着しないようになっていることを本考案者たちは見出し本考案に至った。また敷き具Ｃは、図４に示すとおり本来の機能は容器外底部Ｇ３を載置するための道具でありながら、図２に示すとおり本来の機能は滑り止めとしての機能を備えたエンボスＣ５は、意匠性に優れているので、敷き具Ｃを飲食物容器Ｇの蓋としての商品価値は十分にあることを本考案者たちは見出した。
【実施例５】
【００３５】  また、図１から図４を用いて課題を解決するための第三の手段及び請求項３の概略の実施例を説明する。蓋把持部Ｆ３の形状は、図１、図２、図３、図４、夫々に蓋外縁部Ｆ２に沿って凹凸状であることを示しており、蓋把持部Ｆ３の形状が把持しやすい形状になっていることによって、飲食物容器Ｇと蓋Ｆの利用者は蓋Ｆの蓋としての機能に満足しながら飲食物容器Ｇの敷き具Ｃとしての利用にも満足できるようになっている。
【実施例６】
【００３６】  また、図１から図４を用いて課題を解決するための第四の手段及び請求項４の概略の実施例を説明する。敷き具把持部Ｃ３の形状は、図１、図２、図３、図４、夫々に敷き具外縁部Ｃ２に沿って凹凸状であることを示しており、敷き具把持部Ｃ３の形状が把持しやすい形状になっていることによって、飲食物容器Ｇと敷き具Ｃの利用者は敷き具Ｃの敷き具としての機能に満足しながら飲食物容器Ｇの蓋Ｆとしての利用にも満足できるようになっている。【００３７】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００３８】  本考案の飲食物容器の蓋及び敷き具は、食器への応用も可能であり、特に、皿やどんぶりへの応用に対しても本考案の効果が期待できるので、マーケットの拡大に貢献し産業上の利用可能性が高い。
【図面の簡単な説明】
【００３９】
【図１】本考案の飲食物容器の敷き具として兼用できる飲食物容器の蓋及び飲食物容器の蓋として兼用できる飲食物容器の敷き具の概念正面図。
【図２】本考案の飲食物容器の敷き具として兼用できる飲食物容器の蓋及び飲食物容器の蓋として兼用できる飲食物容器の敷き具の概念背面図。
【図３】図１と図２の飲食物容器の蓋及び敷き具を使用している状態を示している概念図である。
【図４】図１と図２の飲食物容器の蓋及び敷き具を使用している状態を示している概念図である。
【符号の説明】
【００４０】Ｇ・・・飲食物容器、Ｆ・・・蓋、Ｃ・・・敷き具
Ｇ１・・容器開口部、Ｇ２・・容器収納部、Ｇ３・・容器外底部
Ｆ１・・円形平面部、Ｆ２・・蓋外縁部、Ｆ３・・蓋把持部
Ｔａ１・第一溝状、Ｔａ２・第二溝状、Ｔａ３・第三溝状、Ｔａ４・第四溝状
Ｔｂ１・第一周状溝、Ｔｄ１・第一周状溝
Ｆ４・・円形平面部裏面、Ｆ５・・エンボス
Ｃ１・・円形平面部、Ｃ２・・敷き具外縁部、Ｃ３・・敷き具把持部
Ｔｃ１・第一溝状、Ｔｃ２・第二溝状、Ｔｃ３・第三溝状、Ｔｃ４・第四溝状
Ｃ４・・円形平面部裏面、Ｃ５・・エンボス
【図１】
0003176600.tif 000003
【図２】
0003176600.tif 000004
【図３】
0003176600.tif 000005
【図４】
0003176600.tif 000006